(57)【要約】【課題】省スペースで接続作業を簡素化した蓄電モジュールを提供する。【解決手段】蓄電モジュールＭ１は、一側縁から外側方向に突出する正極および負極のリード端子１２Ａ，１２Ｂと、リード端子１２Ａ，１２Ｂに接続される蓄電要素を収容するラミネートフィルム製の容器１３と、を有する複数の蓄電素子１１を積層してなる蓄電素子群１０と、積層方向において隣り合う蓄電素子１１のリード端子１２Ａ，１２Ｂ同士を接続する接続部材３６Ａ，３６Ｂと、接続部材３６Ａ，３６Ｂを保持する接続部材保持部２１を有するとともに蓄電素子１１の一側縁に取り付けられる保持部材２０と、を備える。【選択図】図４
2015167103.tif 000002
【特許請求の範囲】
【請求項１】
一側縁から外側方向に突出する正極および負極のリード端子と、前記リード端子に接続される蓄電要素を収容するラミネートフィルム製の容器と、を有する複数の蓄電素子を積層してなる蓄電素子群と、
積層方向において隣り合う前記蓄電素子の前記リード端子同士を接続する接続部材と、
前記接続部材を保持する接続部材保持部を有するとともに前記蓄電素子の一側縁に取り付けられる保持部材と、を備える蓄電モジュール。
【請求項２】
前記接続部材の、前記リード端子と接触する部分は、当該リード端子と同じ金属材料からなる請求項１に記載の蓄電モジュール。
【発明の詳細な説明】
【技術分野】
【０００１】
本発明は、蓄電モジュールに関する。
【背景技術】
【０００２】
電気自動車やハイブリッド自動車などの車両には、所定数の単電池をケースに収容してなる電池モジュールを必要数、接続部材で接続した組電池が搭載されることがある（たとえば特許文献１を参照）。
【先行技術文献】
【特許文献】
【０００３】
【特許文献１】特開２０１３−１８６９９５号公報
【発明の概要】
【発明が解決しようとする課題】
【０００４】
車両などに搭載される電池モジュールの数が多くなると、電池モジュール間を接続するための接続作業が頻雑なものとなる。また、電池モジュールの数が多いと、電池モジュールの数ごとにケースの厚みが積算されるため搭載スペースを圧迫するという問題があった。
【０００５】
本発明は、上記課題を解決するものであって、省スペースで接続作業を簡素化した蓄電モジュールを提供することを目的とする。
【課題を解決するための手段】
【０００６】
本発明は、一側縁から外側方向に突出する正極および負極のリード端子と、前記リード端子に接続される蓄電要素を収容するラミネートフィルム製の容器と、を有する複数の蓄電素子を積層してなる蓄電素子群と、積層方向において隣り合う前記蓄電素子の前記リード端子同士を接続する接続部材と、前記接続部材を保持する接続部材保持部を有するとともに前記蓄電素子の一側縁に取り付けられる保持部材と、を備える蓄電モジュールである。
【０００７】
本発明において、蓄電素子の一側縁に取り付けられた保持部材の接続部材保持部には、積層方向において隣り合う蓄電素子のリード端子同士を接続する接続部材が保持されている。従って、本発明によれば、保持部材が取り付けられた蓄電素子を積層し、蓄電素子のリード端子と接続部材とを溶接などの方法により接続すると蓄電モジュールが得られるので、接続作業を簡素化することができる。
【０００８】
また、本発明によれば、必要数の蓄電素子を積層して１つの蓄電モジュールを構成することができるので、当該蓄電モジュールを収容するためのケースを一つにすることが可能となり、複数のケースに蓄電素子を収容してなる蓄電モジュールよりも、ケースの数が少ない分、搭載スペースを小さくすることができる。
【０００９】
本発明は以下の構成であってもよい。
前記接続部材の、前記リード端子と接触する部分は、当該リード端子と同じ金属材料からなる構成であってもよい。このような構成とすると、リード端子と接続部材とを接続する方法として種々の溶接方法を実行することが可能となる。またリード端子と接続部材との接続部における電食の発生を抑制し、電気的な接続の信頼性を高めることができる。
【発明の効果】
【００１０】
本発明によれば、省スペースで接続作業を簡素化した蓄電モジュールを提供することができる。
【図面の簡単な説明】
【００１１】
【図１】実施形態１の蓄電モジュールの斜視図
【図２】コネクタハウジングを取り外した蓄電モジュールの斜視図
【図３】保持部材カバーを取り外した蓄電モジュールの斜視図
【図４】積層体の斜視図
【図５】積層体の一部斜視図
【図６】積層体の一部断面図
【図７】蓄電素子の斜視図
【図８】外部接続部材を備える最下段の保持部材の斜視図
【図９】外部接続部材を備える最下段の保持部材の平面図
【図１０】最下段の保持部材の斜視図
【図１１】最下段の保持部材の平面図
【図１２】外部接続部材（最下段）の斜視図
【図１３】外部接続部材（最下段）の平面図
【図１４】接続部材を備える下から二段目の保持部材の斜視図
【図１５】接続部材を備える下から二段目の保持部材の平面図
【図１６】接続部材を備える下から三段目の保持部材の斜視図
【図１７】接続部材を備える下から三段目の保持部材の平面図
【図１８】中段（下から二段目と三段目）の保持部材の斜視図
【図１９】中段（下から二段目と三段目）の保持部材の平面図
【図２０】下から二段目の接続部材の斜視図
【図２１】下から三段目の接続部材の斜視図
【図２２】外部接続部材を備える最上段の保持部材の一部斜視図
【図２３】最上段の保持部材の斜視図
【図２４】最上段の保持部材の平面図
【図２５】外部接続部材（最上段）の斜視図
【図２６】外部接続部材（最上段）の平面図
【図２７】最下段の保持部材に外部接続部材と蓄電素子を取り付けてなる蓄電ユニットを示す斜視図
【図２８】最下段の保持部材に外部接続部材と蓄電素子を取り付けてなる蓄電ユニットを示す平面図
【図２９】接続部材を備える下から二段目の保持部材を最下段の蓄電ユニットに積層した状態を示す斜視図
【図３０】接続部材を備える下から二段目の保持部材を最下段の蓄電ユニットに積層した状態を示す平面図
【図３１】下から二段目の保持部材に蓄電素子を取り付けて蓄電ユニットを二段積層した状態を示す斜視図
【図３２】下から二段目の保持部材に蓄電素子を取り付けて蓄電ユニットを二段積層した状態を示す平面図
【図３３】接続部材を備える下から三段目の保持部材を下から二段目の蓄電ユニットに積層した状態を示す斜視図
【図３４】接続部材を備える下から三段目の保持部材を下から二段目の蓄電ユニットに積層した状態を示す平面図
【図３５】下から三段目の保持部材に蓄電素子を取り付けて蓄電ユニットを三段積層した状態を示す斜視図
【図３６】下から三段目の保持部材に蓄電素子を取り付けて蓄電ユニットを三段積層した状態を示す平面図
【図３７】外部接続部材を備える最上段の保持部材を下から三段目の蓄電ユニットに積層した状態を示す斜視図
【発明を実施するための形態】
【００１２】
＜実施形態１＞
本発明に係る実施形態１の蓄電モジュールＭ１を図１ないし図３７によって説明する。以下の説明において、図１における左下側を前方とし右上側を後方とし、図６の上方を上とし下方を下とする。複数の同一部材については、一の部材に符号を付し、他の部材については符号を省略することがある。本実施形態の蓄電モジュールＭ１は、例えばＩｎｔｅｇｒａｔｅｄ  Ｓｔａｒｔｅｒ  Ｇｅｎｅｒａｔｏｒ（ＩＳＧ）用の蓄電モジュールＭ１として用いられる。
【００１３】
（蓄電モジュールＭ１）
蓄電モジュールＭ１は略直方体状をなし、複数の蓄電素子１１を積層してなる蓄電素子群１０と、積層方向において隣り合う蓄電素子１１のリード端子１２Ａ，１２Ｂ同士を接続する接続部材３６と、接続部材３６を保持する接続部材保持部２１を有するとともに蓄電素子１１の一側縁（前端部）に取り付けられ保持部材２０と、を備える。また、蓄電モジュールＭ１は、蓄電素子群１０、接続部材３６、および保持部材２０を収容するケース１５を備える。
【００１４】
（ケース１５）
ケース１５は蓄電素子群１０を収容するとともに前方が開口したケース本体１６と、ケース本体１６の開口よりも外側に配される保持部材２０を覆う保持部材カバー１７と、保持部材カバー１７に取り付けられるハウジング１８と、を備える。本実施形態ではすべての蓄電素子１１が１つのケース本体１６に収容される。
【００１５】
保持部材カバー１７は、外部接続端子３５Ｃ、保持部材２０に形成された固定部２４、および端子収容部２３を除く部分を覆っている。
【００１６】
保持部材カバー１７の中央には、図２に示すように、保持部材２０に設けた端子収容部２３を挿通可能な挿通部１７Ａが設けられている。保持部材カバー１７に設けた挿通部１７Ａには、図１に示すように、端子収容部２３を覆うハウジング１８が取り付けられるようになっている。
【００１７】
（蓄電素子群１０）
蓄電素子群１０は、図４〜図６に示すように、複数の蓄電素子１１（本実施形態では４個の蓄電素子１１）を積層してなる。本実施形態において蓄電素子群１０は、積層方向において隣り合う蓄電素子１１を、相違する極性のリード端子１２Ａ，１２Ｂが重なり合う位置に配されるように積層してなり、直列に接続されている。
【００１８】
（蓄電素子１１）
各蓄電素子１１は図７に示すように、一側縁に正極および負極のリード端子１２Ａ，１２Ｂを有する。詳しくは、各蓄電素子１１は、図示しない蓄電要素と、蓄電要素を包むとともに側縁が溶着されたラミネートフィルム製の容器１３と、蓄電要素に接続されるとともにラミネートフィルムの溶着された一側縁から外側方向に導出されたリード端子１２Ａ，１２Ｂと、を有する。
【００１９】
本実施形態において、正極のリード端子１２Ａはアルミニウム製またはアルミニウム合金製であり負極のリード端子１２Ｂは銅製または銅合金製である。
【００２０】
積層方向において隣りあう蓄電素子１１の極性の相違するリード端子１２Ａ，１２Ｂ同士は、接続部材３６を介して接続されている。なお、最上段の蓄電素子１１の正極のリード端子１２Ａおよび最下段の蓄電素子１１の負極のリード端子１２Ｂは、それぞれ、外部機器（図示せず）と接続される外部接続部材３１に接続されている。隣り合う蓄電素子１１と電気的に接続されるリード端子１２Ａ，１２Ｂは、それぞれ、溶接により接続部材３６と接続されている。
【００２１】
蓄電素子１１の一側縁は保持部材２０に取り付けられるようになっている。具体的には蓄電素子１１のリード端子１２Ａ，１２Ｂが形成された一側縁には、図７に示すように円形の取付孔１３Ａが２つ形成されており、当該取付孔１３Ａに保持部材２０に設けた取付突部２６が嵌りこむことにより、蓄電素子１１が保持部材２０に取り付けられるようになっている。またリード端子１２Ａ，１２Ｂには保持部材の保持突部２２を受け入れる保持孔１３Ｂが形成されている
【００２２】
（保持部材２０）
保持部材２０には、接続部材３６および外部接続部材３１のうち少なくとも一方を保持する接続部材保持部２１が設けられている。接続部材保持部２１には、接続部材３６または外部接続部材３１に設けられた２つの保持孔３３Ａに嵌りこむ保持突部２２が突出形成されている。保持突部２２は、外部接続部材３１または接続部材２１に重ねられたリード端子１２Ａ，１２Ｂの保持孔１３Ｂにも嵌めこまれる。
【００２３】
各保持部材２０の略中央部には接続部材３６（３６Ａ，３６Ｂ）または外部接続部材３１（３１Ａ，３１Ｂ）に接続された端子１９を収容する端子収容部２３が形成されている。端子収容部２３は前方に開口部２３Ａを有し、当該開口部２３Ａから相手方の端子（図示せず）が挿入されるようになっている。なお、接続部材３６および外部接続部材３１に接続される端子１９は蓄電素子１１の状態（たとえば電圧や温度）を検知する検知端子である。
【００２４】
保持部材２０の長手方向における両端部には、それぞれ円形の貫通孔２５が形成された固定部２４が設けられている。保持部材２０の貫通孔２５は、４つの保持部材２０を積層状態とすると１つの孔を形成し、この孔に固定部材（図示せず）が挿通されるようになっている。また、保持部材２０の長手方向における両端部には蓄電素子１１を取り付ける取付突部２６が上方に突出形成されている。保持部材２０に形成した取付突部２６は、蓄電素子１１に設けた取付孔１３Ａに嵌りこむことで、蓄電素子１１が固定されるようになっている。
【００２５】
本実施形態においては、保持部材２０として、３種類の形状のものが用いられる。具体的には、最下段に配される第１保持部材２０Ａ、下から二段目と三段目に配される第２保持部材２０Ｂおよび最上段に配される第３保持部材２０Ｃが用いられる。
【００２６】
（第１保持部材２０Ａ）
第１保持部材２０Ａには、図８、図９および図２７に示すように、図示左側に外部接続部材３１Ａを保持する接続部材保持部２１が設けられている。第１保持部材２０Ａには図１０および図１１に示すように、外部接続部材３１Ａに設けられた外部接続端子３５Ｃが配される方形状の端子保持部２７が設けられている。
【００２７】
第１保持部材２０Ａに取り付けられる外部接続部材３１Ａは、蓄電モジュールＭ１の負極として機能する。負極として機能する外部接続部材３１Ａは、負極リード端子１２Ｂと同じ材料（銅又は銅合金）からなる。外部接続部材３１Ａは、Ｌ字状の第１金属部材３２Ａと段差状に形成された第２金属部材３２Ｂとを接合することにより構成される。外部接続部材３１Ａを構成する第１金属部材３２Ａおよび第２金属部材３２Ｂは、ともに銅製または銅合金製である。
【００２８】
第１金属部材３２Ａは、図１２および図１３に示すように、平板状をなし蓄電素子１１の負極リード端子１２Ｂが接続されるとともに保持部材２０に保持される被保持部３３と、被保持部３３から連なり被保持部３３に対して略垂直に起立する壁部３３Ｃとを有する。第２金属部材３２Ｂは当該壁部３３Ｃと接合される接合部３５Ａと、ボルト状の外部接続端子３５Ｃが形成された端子部３５Ｂと、を有する。外部接続端子３５Ｃは外部機器と電気的に接続される端子である。
【００２９】
外部接続部材３１Ａ，３１Ｂの被保持部３３には、第１保持部材２０Ａの保持突部２２を受け入れる２つの保持孔３３Ａと、端子収容部２３に収容される端子１９が接続される２つの端子接続孔３３Ｂとが貫通して設けられている。
【００３０】
（第２保持部材２０Ｂ）
第２保持部材２０Ｂには、図１４〜図１９に示すように、接続部材３６を保持する接続部材保持部２１が２つずつ設けられている。下から二段目に配される第２保持部材２０Ｂにおいて、接続部材３６（３６Ａ）は、図１４、図１５および図２９に示すように、図示右側の接続部材保持部２１に保持される。また、下から三段目に配される第２保持部材２０Ｂにおいて、接続部材３６（３６Ｂ）は、図１６、図１７及び図３３に示すように図示左側の接続部材保持部２１に保持される。
【００３１】
ここで、下から二段目に配される第２保持部材２０Ｂに保持される接続部材３６を第１接続部材３６Ａ（図２０）とし、下から三段目に配される第２保持部材２０Ｂに保持される接続部材３６を第２接続部材３６Ｂ（図２１）とする。各接続部材３６Ａ，３６Ｂ（第１接続部材３６Ａおよび第２接続部材３６Ｂ）は、前方にＵ字状に屈曲して蓄電素子１１のリード端子１２Ａ，１２Ｂに接続される端子接続部３８Ａ，３８Ｂを有し、後方に第２保持部材２０Ｂに保持される平板状の被保持部３９を有している。
【００３２】
また、各接続部材３６Ａ，３６Ｂは、それぞれ２つの金属板材（第１金属板材３７Ａ、第２金属板材３７Ｂ）を接合することにより構成されている。２つの金属板材３７Ａ，３７Ｂのうち下側に配される第１金属板材３７Ａは平板状をなしており、２つの保持孔３９Ａおよび２つの端子接続孔３９Ｂが形成された被保持部３９と、下側に配される蓄電素子１１のリード端子１２Ａが接続される端子接続部３８Ａと、を有する。上側に配される第２金属板材３７Ｂは２つの保持孔３９Ａおよび２つの端子接続孔３９Ｂが形成された被保持部３９と、被保持部３９から連なり被保持部３９に対して概ね垂直に起立する起立壁３９Ｃと、起立壁３９Ｃに対して概ね垂直に屈曲されてなり上側に配される蓄電素子１１のリード端子１２Ｂが接続される端子接続部３８Ｂとを有する。
【００３３】
各接続部材３６Ａ，３６Ｂにおいて、２つの端子接続部３８Ａ，３８Ｂは起立壁３９の高さＸ（図６参照）の分離間しているので、リード端子１２Ａ，１２Ｂ同士が接続する接続部が接触することに起因する短絡は生じにくくなっている。
【００３４】
本実施形態において各接続部材３６Ａ，３６Ｂを構成する第１金属板材３７Ａは、正極のリード端子１２Ａと同じ材料（アルミニウムまたはアルミニウム合金製）からなり、第２金属板材３７Ｂは負極リード端子１２Ｂと同じ材料（銅または銅合金製）からなる。したがって、各接続部材３６Ａ，３６Ｂの２つの端子接続部３８Ａ，３８Ｂのうち、下側の端子接続部３８Ａはアルミニウムまたはアルミニウム合金製であり、上側の端子接続部３８Ｂは銅又は銅合金製である。
【００３５】
第１金属板材３７Ａの被保持部３９と第２金属板材３７Ｂの被保持部３９とは、全域において重なり合っており、２つの保持孔３９Ａおよび２つの端子接続孔３９Ｂもそれぞれ重なり合っている。
【００３６】
（第３保持部材２０Ｃ）
第３保持部材２０Ｃには、図２２〜図２４および図３７に示すように、図示左側に外部接続部材３１Ｂを保持する接続部材保持部２１が設けられ、段差を経て、図示右側に第１接続部材３６Ａを保持する接続部材保持部２１が設けられている。第３保持部材２０Ｃには、外部接続部材３１Ｂに設けられた外部接続端子３５Ｃが配される方形状の端子保持部２７が設けられている。
【００３７】
第３保持部材２０Ｃに取り付けられる外部接続部材３１Ｂは、蓄電モジュールＭ１の正極として機能する。正極として機能する外部接続部材３１Ｂは、正極リード端子１２Ａと同じ材料（アルミニウムまたはアルミニウム）からなる。外部接続部材３１Ｂは、Ｌ字状の第１金属部材３２Ｃと段差状に形成された第２金属部材３２Ｄとが接合されてなる。外部接続部材３１Ｂを構成する第１金属部材３２Ｃおよび第２金属部材３２Ｄとは、アルミニウム製またはアルミニウム合金製である。
【００３８】
第１金属部材３２Ｃは、図２５および図２６に示すように、平板状をなし蓄電素子１１の正極リード端子１２Ａが接続されるとともに第３保持部材２０Ｃに保持される被保持部３３と、被保持部３３から連なり被保持部３３に対して略垂直に垂下する壁部３３Ｃとを有する。第２金属部材３２Ｂは当該壁部３３Ｃと接合される接合部３５Ａと、ボルト状の外部接続端子３５Ｃが形成された端子部３５Ｂと、を有する。外部接続端子３５Ｃは外部機器と電気的に接続される端子である。
【００３９】
外部接続部材３１Ｂの被保持部３３には、第３保持部材２０Ｃの保持突部２２を受け入れる２つの保持孔３３Ａが貫通して設けられている。なお、第３保持部材２０Ｃに保持される第１接続部材３６Ａは第２保持部材２０Ｂに保持される第１接続部材３６Ａと同じ構成である。
【００４０】
（蓄電モジュールＭ１の組み立て方法）
金属材料をプレスして第１金属部材３２Ａ，３２Ｃ、第２金属部材３２Ｂ，３２Ｄ、第１金属板材３７Ａおよび第２金属板材３７Ｂを作製し、これらを接合して、各外部接続部材３１Ａ，３１Ｂ、第１接続部材３６Ａを２つおよび第２接続部材３６Ｂを作製する。外部接続部材３１Ａ、第１接続部材３６Ａおよび第２接続部材３６Ｂの端子接続孔３３Ｂにそれぞれ端子１９を取り付けておく。
【００４１】
次に、外部接続部材３１Ａの保持孔３３Ａに、第１保持部材２０Ａの保持突部２２を嵌めこむとともに、外部接続部材３１Ａの端子部３５Ｂを、第１保持部材２０Ａの端子保持部２７にはめ込むことにより、第１保持部材２０Ａに外部接続部材３１Ａを取り付ける（図８および図９を参照）。その後、蓄電素子１１の取付孔１３Ａに、第１保持部材２０Ａの取付突部２６を嵌め込み、リード端子１２Ｂの保持孔１３Ｂに第１保持部材２０Ａの保持突部２２を嵌めこむと図２７および図２８に示す最下段の蓄電ユニット４１Ａが得られる。
【００４２】
第１接続部材３６Ａの保持孔３３Ａに、第２保持部材２０Ｂの保持突部２２を嵌めこんで、下から２段目に配される第２保持部材２０Ｂに第１接続部材３６Ａを取り付けて、最下段の蓄電ユニット４１Ａに重ねる（積層する）と図２９および図３０に示すような状態となる。ついで、蓄電素子１１の取付孔１３Ａに第２保持部材２０Ｂの取付突部２６を嵌めこみ、リード端子１２Ｂの保持孔１３Ｂに第２保持部材２０Ｂの保持突部２２を嵌めこむことで、下から２段目の蓄電ユニット４１Ｂを最下段の蓄電ユニット４１Ａに積層すると、図３１および図３２に示す積層体４０Ａが得られる。
【００４３】
第２接続部材３６Ｂの保持孔３３Ａに、第２保持部材２０Ｂの保持突部２２を嵌めこんで、下から３段目に配される第２保持部材２０Ｂに第２接続部材３６Ｂを取り付けて、下から２段目の蓄電ユニット４１Ｂに重ねる（積層する）と図３３および図３４に示すような状態となる。ついで、蓄電素子１１の取付孔１３Ａに第２保持部材２０Ｂの取付突部２６を嵌めこんで、下から３段目の蓄電ユニット４１Ｃを下から２段目の蓄電ユニット４１Ｂに積層すると、図３５および図３６に示す積層体４０Ｂが得られる。
【００４４】
外部接続部材３１Ｂの保持孔３３Ａに、第３保持部材２０Ｃの保持突部２２を嵌めこむとともに、外部接続部材３１Ｂの端子部３５Ｂを、第３保持部材２０Ｃの端子保持部２７にはめ込むことにより、第３保持部材２０Ｃに外部接続部材３１Ｂを取り付ける（図２２を参照）。さらに、第１接続部材３６Ａの保持孔３３Ａに、第３保持部材２０Ｃの保持突部２２を嵌めこんで、下から３段目の蓄電ユニット４１Ｃに重ねる（積層する）と図３７に示すような状態となる。ついで、蓄電素子１１の取付孔１３Ａに、第３保持部材２０Ｃの取付突部２６を嵌め込み、リード端子１２Ｂの保持孔１３Ｂに第３保持部材２０の保持突部２２を嵌めこんで、最上段の蓄電ユニット４１Ｄを下から３段目の蓄電ユニット４１Ｃに積層すると、図４に示す積層体４０が得られる。
【００４５】
積層体４０においては図５および図６に示すように、第１接続部材３６Ａの第１金属板材３７Ａは、下方に配される蓄電素子１１の正極リード端子１２Ａと接触し、第１接続部材３６Ａの第２金属板材３７Ｂは上方に配される蓄電素子１１の負極リード端子１２Ｂと接触する。第２接続部材３６Ｂの第１金属板材３７Ａは、下方に配される蓄電素子１１の正極リード端子１２Ａと接触し、第２接続部材３６Ｂの第２金属板材３７Ｂは上方に配される蓄電素子１１の負極リード端子１２Ｂと接触する。第１保持部材２０Ａに保持される外部保持部材３１Ａは負極リード端子１２Ｂと接触し、第３保持部材２０Ｃに保持される外部保持部材３１Ｂは正極リード端子１２Ａと接触する。
【００４６】
つまり各リード端子１２Ａ，１２Ｂは同じ材料からなる接続部材３６あるいは外部接続部材３１と接触していることとなる。積層体４０において４つの端子収容部２３は上下方向（積層方向）に一列に並ぶ。
【００４７】
次に積層体４０をケース本体１６に収容すると図３に示すように蓄電素子群１０がケース本体１６内に収容され、保持部材２０の一部が外側に露出する。次に保持部材カバー１７を取り付けると、図２に示すように、端子収容部２３が保持部材カバー１７に形成した挿通部１７Ａから外側に突出するように配される。さらにハウジング１８を一列に並んだ端子収容部２３を覆うようにかぶせつけると図１に示す蓄電モジュールＭ１が得られる。
【００４８】
（本実施形態の作用および効果）
本実施形態によれば、蓄電素子１１の一側縁に取り付けられた保持部材２０の接続部材保持部２１には、積層方向において隣り合う蓄電素子１１のリード端子１２Ａ，１２Ｂ同士を接続する接続部材３６が保持されている。従って、本実施形態によれば、保持部材２０が取り付けられた蓄電素子１１を積層し、蓄電素子１１のリード端子１２Ａ，１２Ｂと接続部材３６とを溶接などの方法により接続すると蓄電モジュールＭ１が得られるので、接続作業を簡素化することができる。
【００４９】
また、本実施形態によれば、必要数の蓄電素子１１を積層して１つの蓄電モジュールＭ１を構成することができるので、当該蓄電モジュールＭ１を収容するためのケース１５を一つにすることが可能となり、蓄電素子１１を複数のケースに収容してなる蓄電モジュールＭ１よりもケースの数が少ない分、搭載スペースを小さくすることができる。
その結果、本実施形態によれば、省スペースで接続作業を簡素化した蓄電モジュールＭ１を提供することができる。
【００５０】
また、本実施形態によれば、接続部材３６の、リード端子１２Ａ，１２Ｂと接触する部分（端子接続部３８Ａ，３８Ｂ）は、当該リード端子１２Ａ，１２Ｂと同じ金属材料からなるので、リード端子１２Ａ，１２Ｂと接続部材３６とを接続する方法として種々の溶接方法を実行することが可能となるうえに、リード端子１２Ａ，１２Ｂと接続部材３６との接続部における電食の発生を抑制し、電気的な接続の信頼性を高めることができる。
【００５１】
＜他の実施形態＞
本発明は上記記述及び図面によって説明した実施形態に限定されるものではなく、例えば次のような実施形態も本発明の技術的範囲に含まれる。
（１）上記実施形態では接続部材３６として、第１金属板材３７Ａと第２金属板材３７Ｂとを接合してなるものを示したが、一つの部材からなるものであってもよい。
（２）上記実施形態では外部接続部材３１Ａ（３１Ｂ）として、第１金属部材３２Ａ（３２Ｃ）と第２金属部材３２Ｂ（３２Ｄ）とを接合してなるものを示したが、一部材で構成してもよい。
（３）上記実施形態では外部接続部材３１を構成する２つの金属部材が同じ材料からなるものを示したが、２つの金属部材が相違する材料からなるものであってもよい。
（４）上記実施形態では４つの蓄電素子１１を積層してなる蓄電素子群１０を示したが、蓄電素子群１０は複数の蓄電素子を積層してなるものであればよく、２個または３個の蓄電素子を積層したものや５個以上の蓄電素子を積層したものであってもよい。
（５）上記実施形態では保持部材２０に端子保持部２７を形成したものを示したが、端子保持部のないものであってもよい。
（６）上記実施形態では接続部材３６Ａ，３６Ｂおよび外部接続部材３１Ａに検知用の端子１９を取り付けた構成を示したが、検知用の端子は接続部材および外部接続部材とは別にリード端子に接続されていてもよい。
【符号の説明】
【００５２】
１０…蓄電素子群
１１…蓄電素子
１２Ａ…正極のリード端子
１２Ｂ…負極のリード端子
１３…容器
１５…ケース
２０…保持部材
２０Ａ…第１保持部材
２０Ｂ…第２保持部材
２０Ｃ…第３保持部材
２１…接続部材保持部
３１…外部接続部材
３１Ａ…外部接続部材
３１Ｂ…外部接続部材
３３…被保持部
３３Ａ…保持孔
３６…接続部材
３６Ａ…第１接続部材
３６Ｂ…第２接続部材
３７Ａ…第１金属板材
３７Ｂ…第２金属板材
３８Ａ，３８Ｂ…端子接続部
３９…被保持部
３９Ａ…保持孔
４０…積層体
４１Ａ…最下段の蓄電ユニット
４１Ｂ…下から二段目の蓄電ユニット
４１Ｃ…下から三段目の蓄電ユニット
４１Ｄ…最上段の蓄電ユニット
Ｍ１…蓄電モジュール
【図１】
2015167103.tif 000003
【図２】
2015167103.tif 000004
【図３】
2015167103.tif 000005
【図４】
2015167103.tif 000006
【図５】
2015167103.tif 000007
【図６】
2015167103.tif 000008
【図７】
2015167103.tif 000009
【図８】
2015167103.tif 000010
【図９】
2015167103.tif 000011
【図１０】
2015167103.tif 000012
【図１１】
2015167103.tif 000013
【図１２】
2015167103.tif 000014
【図１３】
2015167103.tif 000015
【図１４】
2015167103.tif 000016
【図１５】
2015167103.tif 000017
【図１６】
2015167103.tif 000018
【図１７】
2015167103.tif 000019
【図１８】
2015167103.tif 000020
【図１９】
2015167103.tif 000021
【図２０】
2015167103.tif 000022
【図２１】
2015167103.tif 000023
【図２２】
2015167103.tif 000024
【図２３】
2015167103.tif 000025
【図２４】
2015167103.tif 000026
【図２５】
2015167103.tif 000027
【図２６】
2015167103.tif 000028
【図２７】
2015167103.tif 000029
【図２８】
2015167103.tif 000030
【図２９】
2015167103.tif 000031
【図３０】
2015167103.tif 000032
【図３１】
2015167103.tif 000033
【図３２】
2015167103.tif 000034
【図３３】
2015167103.tif 000035
【図３４】
2015167103.tif 000036
【図３５】
2015167103.tif 000037
【図３６】
2015167103.tif 000038
【図３７】
2015167103.tif 000039
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
一側縁から外側方向に突出する正極および負極のリード端子と、前記リード端子に接続される蓄電要素を収容するラミネートフィルム製の容器と、を有する複数の蓄電素子を積層してなる蓄電素子群と、
積層方向において隣り合う前記蓄電素子の前記リード端子とそれぞれ電気的に接続される接続部材と、
前記接続部材を保持する接続部材保持部を有するとともに前記蓄電素子の一側縁に取り付けられる保持部材と、を備え、
前記接続部材は、前記積層方向に間隔を空けて配置されている２つの板状の端子接続部を有し、
前記リード端子の前記接続部材と接続される部分は、それぞれ、平面視において各板状の端子接続部と同一の形状を有する、蓄電モジュール。
【請求項２】
前記接続部材の、前記リード端子と接触する部分は、当該リード端子と同じ金属材料からなる請求項１に記載の蓄電モジュール。